(57)【特許請求の範囲】
【請求項１】
スラット面の上下端縁に互いに連結可能な結合片を有するスラット本体と、該スラット本体の裏面に中空部を形成するように固着された裏板とで構成される建築用シャツタースラットにおいて、前記スラット本体にはスラット面の上下端縁の何れか一方端に、スラツトの内方に向けて折返状の係止溝を形成する一方、前記裏板には前記中空部を形成し得る断面略コ字型の収容溝と、該収容溝の一端側から前記収容溝の内方側に向けて折曲形成した第一フランジ片と他端側から前記収容溝の外方に突出形成した第二フランジ片を形成し、該第二フランジ片を前記係止溝に係着するとともに第一フランジ片を接着剤を介してスラットの裏面に固着したことを特徴とする建築用シャッタースラット。
【請求項２】
前記中空部には遮音材または断熱材の内装材が装填されることを特徴とする請求項１記載の建築用シャッタースラット。
【発明の詳細な説明】
【０００１】
【発明の属する技術分野】
本発明は建築用シャッターに係り、特に、スラットの裏面に中空部を有するシャッタースラットに関するものである。
【０００２】
【従来の技術】
従来、この種のシャッタースラットは、第４図に示すように、スラット本体６の裏面に断面略柄杓型の裏板７を固着して中空部Ｈを形成するとともに、該中空部Ｈに遮音材や断熱材等の内装材８を装填することにより室内外における熱や音の伝播を防止していた。
【０００３】
【発明が解決しようとする課題】
上記従来例におけるシャッタースラット５によれば、スラット本体６と裏板７とを溶接によって固着しているため、組立作業が煩雑である上、室内側に溶接痕Ｗが露呈したり、溶接熱によってスラットが変形したりするなどの惧れがあった。また、スラットの材料として、意匠性に富んだカラー鋼板などの素材を用いることができないため（溶接に不向き）、単調で無味乾燥なデザインとなって、建物の外観を損ねる等の問題があった。さらに、裏板７をスラット本体６に溶接する作業上、スラットの結合片６ｂと裏板７との間に溶接棒Ｓが挿入できるスペースＸを確保しなければないが、このスペースが非遮音（断熱）部を形成する結果となり、充分な遮音（断熱）性能を保持することができなかった。
【０００４】
【課題を解決するための手段】
本発明は上記の如き実情に鑑み、従来における課題を一掃すべく創作されたものであって、スラット面の上下端縁に互いに連結可能な結合片を有するスラット本体と、該スラット本体の裏面に中空部を形成するように固着された裏板とで構成される建築用シャツタースラットにおいて、前記スラット本体にはスラット面の上下端縁の何れか一方端に、スラツトの内方に向けて折返状の係止溝を形成する一方、前記裏板には前記中空部を形成し得る断面略コ字型の収容溝と、該収容溝の一端側から前記収容溝の内方側に向けて折曲形成した第一フランジ片と他端側から前記収容溝の外方に突出形成した第二フランジ片を形成し、該第二フランジ片を前記係止溝に係着するとともに第一フランジ片を接着剤を介してスラットの裏面に固着するようにした。
【０００５】
また、前記中空部に遮音材または断熱材の内装材を装填したことにより遮音性または断熱性に優れたシャッタースラットとすることができる。
【０００６】
【発明の実施の形態】
以下、本発明に係る建築用シャッタースラットの一実施の形態について、図１〜図３に基づき説明する。図１において、建築用シャッター装置１は躯体の天井部に横架された巻取りシャフト２と、該巻取りシャフト２の正逆回転に基づいて、巻き取りあるいは巻き戻されて、開口部を昇降移動するシャッターカーテン３と、該シャッターカーテン３の両端を案内するガイドレール４とによって構成されている。このほか、開閉機等の各種部材装置を備えているのは言うまでもないが、これらは何れも公知の建築用シャッター装置と同様のため説明を省略する。
【０００７】
前記シャッターカーテン３は複数のスラット５を一連状に連綴してなり、全開時には巻き取りシャフト２の外周に巻き付けられて天井内に収納される一方、全閉時には開口部の全域に亘って垂直面を展開できるように構成されている。
前記スラット５はスラット本体６と該スラット本体の裏面に取り付けられる裏板７およびこれらスラット本体と裏板との間に装填される内装材８によって構成されている。
【０００８】
前記スラット本体６は中央部に平坦なスラット面６ａを有し、該スラット面６ａの上端には裏面側斜め上方に向けてフック状の結合片６ｂが、また、下端には裏面側上方に向けて折曲された折返し部６ｃと、該折返し部６ｃに連続して形成されるカール状の結合片６ｄを有している。さらに、前記スラット面６ａの下端裏面には前記折返し部６ｃによって形成される係止溝６ｅが形成されている。
以上のようにしてなるスラット本体６は、結合片６ｂを他のスラット本体の結合片６ｄに順次連結することにより、揺動自在な一連状のシャッターカーテン３を形成するようになっている。
【０００９】
前記裏板７は金属製の折曲部材からなり、断面略コ字型の収容溝７ａと該収容溝７ａの先端には第一フランジ片７ｂと第二フランジ片７ｃとをそれぞれ有している。前記収容溝７ａはスラット本体６の裏面との間に中空部Ｈを形成するとともに、後述する内装材８を装填できるようになっている。前記第一フランジ片７ｂは収容溝７ａの先端から裏板７の収容溝の内方に向けて折曲形成される一方、第二フランジ片７ｃは収容溝７ａの先端から収容溝の外方に突出するように形成されている。この裏板７は、内装材８の収容体としての機能を有するほか、スラツト本体６の裏面に中空部Ｈを形成してスラット５の補強材としての機能も有している。前記内装材８は、ロックウールやグラスウールなどからなる弾性材８ａと制震ゴム８ｂとからなり、前記弾性材８ａは、裏板７の収容溝７ａの溝底に固着される一方、制震ゴム８ｂはスラット本体の裏面に固着されるようになっている。
【００１０】
次に本実施の形態に係るスラット５の組立て手順について説明する。先ず、スラット本体６の裏面にあらかじめ制震ゴム８ｂを接着剤等により固定する。次に、裏板7の収容溝７ａに弾性材８ａを接着剤等の公知手段により固定するとともに、第一フランジ片７ｂの外側面に接着剤９（両面テープでもよい。）を塗布しておく。そして、第二フランジ片７ｃをスラツト本体６の裏面に形成した係止溝６ｅに挿し込んで下端を係着するとともに、前記第一フランジ片７ｂの接着面をスラット面６ａの裏面に貼着させる。以上の作業によりスラット５の組立て作業が完了する。
【００１１】
なお、本実施の形態では、スラットの中空部Ｈに装填される内装材として遮音材を採用しているが、これに限定されることなく、断熱材等を装填して断熱スラットとしたり、あるいは内装材を装填せずに、単なる中空スラットとしてもよい。また、本実施の形態のスラットを天地逆転して使用しても一向に差し支えなく使用することができる。
【００１２】
【発明の効果】
以上述べたように、本発明によればスラットを組み立てるにあたり、溶接作業を一切必要とすることがないため、作業性を大幅に向上させることができ、また、室内側に溶接痕が露呈したり、スラットの材料が限定されるなどがなく、意匠性に優れたシャッタースラットを提供することができる。
【００１３】
また、溶接棒の挿入スペース等を形成する必要がないため、非遮音（断熱）部を極力小さくすることができ、より遮音性あるいは断熱性に優れた構造とすることができる。
【図面の簡単な説明】
【図１】建築用シャッターの姿図である。
【図２】（ａ）、（ｂ）は、本実施の形態に係る建築用シャッタースラットの正面図及び断面図である。
【図３】本実施の形態に係る建築用シャッタースラットの連結状態を示す断面図である。
【図４】従来の建築用シャッタースラットを示す断面図である。
【符号の説明】
５    スラット
６    スラット本体
６ａ  スラツト面
６ｅ  係止溝
６ｂ、６ｄ  結合片
７    裏板
７ａ  収容溝
７ｂ  第一フランジ片
７ｃ  第二フランジ片
８    内装材
９    接着剤
Ｈ    中空部
【図１】
0003755125.tif 000002
【図２】
0003755125.tif 000003
【図３】
0003755125.tif 000004
【図４】
0003755125.tif 000005